(57)【要約】【課題】遊技台用台間機の台間機をホルダから引き抜くことができないようにロックしているロック機構を解除するためのロック解除用ワイヤを、遊技店の店員などのような正当な権利者以外の者が解除できないようにすること。【解決手段】遊技台用台間機１は、ロック機構４によってホルダ２にロックされた台間機本体３を備え、ロック機構４を解除するためのロック解除用ワイヤ５の先端部５ｃは、遊技島の幕板の背面位置まで引き出されているが、ワイヤロックユニット２０の内部に位置し、引くことができないワイヤロック状態にある。シリンダ錠２２の鍵穴２２３に鍵板２４を差し込み開錠方向に回すと、旋回板が回転してロック解除用ワイヤ５が引かれてロック機構４が解除される。鍵板を持っている者のみがロック解除用ワイヤ５を引いてロック機構４を解除できる。【選択図】図６
2007300956.tif 000002
【特許請求の範囲】
【請求項１】
遊技台に隣接配置されたホルダと、
このホルダに前方から抜き差し可能に装着されている台間機本体と、
前記台間機本体を前記ホルダから抜き取れないようにロックしているロック機構と、
前記ロック機構のロックを解除するために引かれるロック解除用ワイヤと、
前記ロック解除用ワイヤを引くことができない状態にロックしているワイヤロック部材と、
前記ワイヤロック部材によるロックを解除するワイヤロック解除部材と、
を有していることを特徴とする遊技台用台間機。
【請求項２】
請求項１において、
前記ロック解除用ワイヤを引くために当該ロック解除用ワイヤに形成された操作用取手と、
この操作用取手を覆い隠している開閉可能な収納ケースとを有し、
前記ワイヤロック部材は前記収納ケースを閉じ位置にロックしている錠であり、
前記ワイヤロック解除部材は前記錠の合鍵であることを特徴とする遊技台用台間機。
【請求項３】
請求項１において、
前記ワイヤロック解除部材の操作に連動して、前記ロック解除用ワイヤを引く連動部材を有していることを特徴とする遊技台用台間機。
【請求項４】
請求項３において、
前記ロック解除用ワイヤを引くことができないように当該ロック解除用ワイヤの端部を覆い隠している収納ケースを有し、
前記ワイヤロック部材は、前記収納ケースに取り付けられた錠であり、
前記ワイヤロック解除部材は、前記錠の合鍵であり、
前記連動部材は、前記収納ケース内において、前記合鍵によって施錠位置から開錠位置に回転する前記錠の回転軸を中心として当該回転軸と一体回転するように取り付けた旋回板であり、
この旋回板における旋回中心から外れた部位に前記ロック解除用ワイヤの前記端部が連結されており、
前記回転軸が開錠方向に回ると、前記旋回板によって前記ロック解除用ワイヤが引かれることを特徴とする遊技台用台間機。
【請求項５】
請求項４において、
前記旋回板を常に、前記ロック解除用ワイヤを引く方向とは逆向きの方向に付勢している付勢部材を有していることを特徴とする遊技台用台間機。
【発明の詳細な説明】
【技術分野】
【０００１】
本発明は、隣接配置されている遊技台に対して遊技媒体の貸し出し処理を行う遊技台用台間機に関するものである。より詳しくは、遊技台用台間機のホルダから台間機本体を抜き取ることができないようにロックしているロック機構を解除するためのロック解除機構の改良に関するものである。
【背景技術】
【０００２】
遊技台用台間機は、遊技島に設置されている遊技台に隣接配置され、遊技者が挿入した紙幣やＩＣカードに応じて、遊技媒体である玉やメダルの貸し出し処理を行なうものである。遊技台用台間機は、遊技島の側に固定したホルダと、このホルダに対して着脱可能に装着されている台間機本体とを備えており、台間機本体はホルダから抜き取ることができないようにロック機構によってホルダにロックされている。
【０００３】
保守や点検作業のために台間機本体をホルダから抜き取る際は、ロック機構を解除する必要がある。ロック機構は通常、ホルダの背面部分に構成されているので、ロックを解除する際には隣接する遊技台の扉を開け、そこから遊技島の内部まで手を入れてロックを解除する操作を行なわなければならない。
【０００４】
そこで、ロック機構を解除するために操作される部品にロック解除用ワイヤを連結し、このロック解除用ワイヤを操作しやすい場所まで引き出しておくことにより、ロック解除操作を簡単に行うことができるようにすることが、引用文献１、２に開示されている。例えば、ロック解除用ワイヤを、係員が操作しやすい遊技島の上側の幕板の背面側の位置まで引き出しておけば、遊技島の内部まで手を入れなくても台間機本体の引き出しを容易に行なうことができる。
【特許文献１】特開２００３−１０５２９号公報
【特許文献２】特開２００４−３０５５７８号公報
【発明の開示】
【発明が解決しようとする課題】
【０００５】
しかしながら、ロック解除用ワイヤが操作しやすい場所まで引き出されていると、遊技店の店員以外の者でも比較的簡単にロック解除用ワイヤを操作することが可能である。このために、悪意のある者によってロック解除用ワイヤが引かれて、ロック機構が解除されて台間機本体部分がホルダから引き抜かれ、不正行為が行われる危険性がある。
【０００６】
特に、遊技台用台間機としては、その台間機本体に紙幣を収納しておく金庫部を備えたものが知られている。この場合には、悪意のある者によってロック機構が解除されて、その台間機本体ごと金庫部に収納されている紙幣が盗まれてしまう危険性がある。
【０００７】
本発明の課題は、このような点に鑑みて、遊技台用台間機の台間機をホルダから引き抜くことができないようにロックしているロック機構を解除するためのロック解除用ワイヤを、遊技店の店員などのような正当な権利者以外の者が解除できないように構成された遊技台用台間機を提案することにある。
【課題を解決するための手段】
【０００８】
上記課題を解決するために、本発明の遊技台用台間機は、
遊技台に隣接配置されたホルダと、
このホルダに前方から抜き差し可能に装着されている台間機本体と、
前記台間機本体を前記ホルダから抜き取れないようにロックしているロック機構と、
前記ロック機構のロックを解除するために引かれるロック解除用ワイヤと、
前記ロック解除用ワイヤを引くことができない状態にロックしているワイヤロック部材と、
前記ワイヤロック部材によるロックを解除するワイヤロック解除部材と、
を有していることを特徴としている。
【０００９】
本発明では、ロック解除用ワイヤには、当該ワイヤを引くことができない状態にロックしているワイヤロック部材が取り付けられている。したがって、ロック解除用ワイヤの端を、操作しやすい遊技島の幕板の背面まで引き出しておいても、ワイヤロック部材によるロックを解除しないと、ロック解除用ワイヤを引くことができない。換言すると、ロック機構を解除して台間機本体を引き抜くことができない。しかるに、遊技店の店員などの正当な権利者は、ワイヤロック部材によるロックを解除するためのワイヤロック解除部材を使ってワイヤロック部材によるロックを解除して、ロック解除用ワイヤを引き、台間機本体を引き抜くことができる。
【００１０】
よって、ロック解除用ワイヤを用いたロック機構の解除操作の操作性を保持したまま、不正などの目的でロック解除用ワイヤが引かれて台間機本体のロックが解除されてしまうことを防止できる。
【００１１】
ここで、本発明において、前記ロック解除用ワイヤを引くために当該ロック解除用ワイヤに形成された操作用取手と、この操作用取手を覆い隠している開閉可能な収納ケースとを有している場合には、前記ワイヤロック部材を、前記収納ケースを閉じ位置にロックしている錠とすることができ、前記ワイヤロック解除部材を前記錠の合鍵とすることができる。
【００１２】
また、本発明において、ワイヤロック部材のロックを解除してロック解除用ワイヤを引いてロック機構を解除する一連の操作の操作性を改善するためには、前記ワイヤロック解除部材の操作に連動して、前記ロック解除用ワイヤを引く連動部材を有していることが望ましい。このような連動部材を用いれば、ワイヤロック解除部材を操作するだけで、ロック解除用ワイヤが引かれてロック機構が解除される。
【００１３】
ここで、前記ロック解除用ワイヤを引くことができないように当該ロック解除用ワイヤの端部を覆い隠している収納ケースを有している場合には、前記ワイヤロック部材を、前記収納ケースに取り付けられた錠とし、前記ワイヤロック解除部材を、前記錠の合鍵とすることができる。また、前記連動部材を、前記収納ケース内において、前記合鍵によって施錠位置から開錠位置に回転する前記錠の回転軸を中心として当該回転軸と一体回転するように取り付けた旋回板とし、この旋回板における旋回中心から外れた部位に前記ロック解除用ワイヤの前記端部を連結しておき、前記回転軸が開錠方向に回ると、前記旋回板によって前記ロック解除用ワイヤが引かれるようにすればよい。
【００１４】
この場合、ロックが解除された後の各部分を、再びロック状態に戻すための操作が確実に行われるように、また、その操作が速やかに行われるように、前記旋回板を常に、前記ロック解除用ワイヤを引く方向とは逆向きの方向に付勢している付勢部材を有していることが望ましい。
【発明の効果】
【００１５】
本発明の遊技台用台間機は、ロック解除用ワイヤを引くことができない状態にロックしているワイヤロック部材を有している。したがって、ロック機構を解除しやすいように、ロック解除用ワイヤの端を、操作しやすい遊技島の幕板の背面まで引き出しておいても、ワイヤロック解除部材を持っていないと、ロック解除用ワイヤを引いて、ロック機構を解除して台間機本体を引き抜くことができない。よって、ロック解除用ワイヤを用いたロック機構の解除操作の操作性を保持したまま、不正などの目的でロック解除用ワイヤが引かれて台間機本体のロックが解除されてしまうことを防止できる。
【発明を実施するための最良の形態】
【００１６】
以下に、図面を参照して、本発明を適用した遊技台用台間機の実施の形態を説明する。
【００１７】
図１は遊技店に設置された遊技島の部分正面図である。図２は本実施の形態に係る遊技台用台間機を示す側面図であり、(ａ)は台間機本体がホルダに差し込まれてロックされている状態を示し、(ｂ)は、台間機本体をホルダから引き抜いた状態を示してある。
【００１８】
まず、図１に示すように、パチンコ店などの遊技店には複数列の遊技島１００が配置されており、各遊技島１００は、遊技台１１０と遊技台用台間機１とが交互に配列された構成となっている。遊技島１００は木枠などから構成した枠体１０１を備え、各遊技台１１０および遊技台用台間機１はこの枠体１０１に固定されている。
【００１９】
遊技台用台間機１は、図２に示すように、枠体１０１等に固定されているホルダ２と、このホルダ２に対して前方から抜き差し可能な状態で装着されている台間機本体３と、台間機本体３をホルダ２から抜き取れないようにロックしているロック機構４と、ロック機構４によるロックを解除するために引かれるロック解除用ワイヤ５とを備えている。
【００２０】
ロック機構４は、台間機本体３をホルダ２に差し込む動作に連動して台間機本体３をホルダ２に自動的にロックするものである。ロックされると、台間機本体３がホルダ２に固定されて遊技島１００に取り付けられた状態になる。
【００２１】
このようなロック機構４としては、先に引用した特許文献に記載のものを用いることができ、ホルダ２と台間機本体３とを係止するロック位置とその係止が解除されるアンロック位置との間を移動可能なフック等のロック部材４ａを備えている。このロック部材４ａはばねによりロック位置に付勢されており、台間機本体３をホルダ２に差し込む動作に連動して、ロック部材が一旦アンロック位置に押し出された後に再びばね力によってロック位置に戻り、引き抜き不可のロック状態が形成されるようになっている。
【００２２】
ロック解除用ワイヤ５は、その一方の端５ａが台間機本体３の背面に配置されているロック機構４のロック部材４ａの側に連結されており、そこから台間機本体３の上方から前方に引き出され、その他方の端に形成した操作用取手５ｂが、店員等が操作し易い幕板１０４の背面側の部位に配置されたワイヤロックユニット６の内部に位置している。なお、ロック解除用ワイヤ５は、その保護のために、ロック機構４とワイヤロックユニット６の間において可撓性の円筒状のシース５１によって覆われた状態で引き回されている。
【００２３】
図３はワイヤロックユニット６が配置されている遊技島の部分を示す部分斜視図である。この図から分かるように、各遊技台１１０の上側にはランプ取付板１０２が配置されており、ランプ取付板１０２の表面には各遊技台１１０に対応して表示ランプ１０３が配置されている。表示ランプ１０３の上側には、上端縁を中心として前方に開けることのできる矩形の幕板１０４が取り付けられている。ランプ取付板１０２の背面には、幕板１０４の下縁に対応する高さ位置の所に桟木１０５が水平に取り付けられている。この桟木１０５の上にワイヤロックユニット６が配置されている。
【００２４】
(ワイヤロックユニット)
図４および図５はワイヤロックユニット６を取り出して示す図である。図４(ａ)はロック解除用ワイヤ５を引くことのできないワイヤロック状態を示す斜視図であり、図４(ｂ)はロック解除用ワイヤ５を引くことのできるワイヤロック解除状態を示す斜視図である。図５はワイヤロックユニット６の縦断面図である。
【００２５】
ワイヤロックユニット６は、直方体形状をした開閉可能な収納ケース７と、この収納ケース７を閉じ状態にロックしているシリンダ錠８とを有しており、シリンダ錠８は鍵板(合鍵)９によって施錠および開錠することができる。収納ケース７は、遊技島１００の桟木１０５に固定した矩形の底板７１と、この底板７１の後端縁から垂直に起立している矩形の背面板７２と、この背面板７２の上端部分に上下方向に開閉可能な状態で連結されている開閉蓋７３とを備えている。開閉蓋７３は、天板部分７３ａと、この天板部分７３ａの前縁および左右の縁から下方に直角に折れ曲がって延びている前板部分７３ｂおよび左右の側板部分７３ｃ、７３ｄを備えている。
【００２６】
収納ケース７の背面板７２には、ここを貫通した状態で円筒状のワイヤガイド筒１１が水平に取り付けられている。背面板７２から後方に突出しているワイヤガイド筒１１の後端部にはシース５１の端部が同軸状態で嵌め込まれて固定されている。背面板７２から前方に突出しているワイヤガイド筒１１の前端部には大径のガイド筒１２が同軸状に取り付けられている。
【００２７】
シース５１の内部を通って引き回されているロック解除用ワイヤ５は、ワイヤガイド筒１１およびガイド筒１２を通って収納ケース７の内部に引き込まれている。収納ケース７の内部に位置するロック解除用ワイヤ５の先端部には輪状の操作用取手５ｂが形成されている。
【００２８】
図４(ａ)に示すように開閉蓋７３を閉じた状態では、ロック解除用ワイヤ５の操作用取手５ｂが収納ケース７によって覆い隠され、ロック解除用ワイヤ５を引くことができない。すなわち、ロック機構４を解除して台間機本体３を引き抜くことができないワイヤロック状態にある。図４(ｂ)に示すように開閉蓋７３を開けた状態では、収納ケース７の内部に位置しているロック解除用ワイヤ５の操作用取手５ｂが露出し、ここを持ってロック解除用ワイヤ５を引くことができる。すなわち、ロック機構４を解除して台間機本体３を引き抜くことができるワイヤロック解除状態になる。
【００２９】
ここで、開閉蓋７３の前板部分７３ｂの中央にシリンダ錠８が取り付けられている。シリンダ錠８は、円筒状のキーシリンダ本体８１と、このキーシリンダ本体８１を同軸状態で貫通しているキーシリンダ回転軸８２と、キーシリンダ回転軸８２の後端部に固定した施錠フック８３とを備えている。施錠フック８３はキーシリンダ回転軸８２に直交する方向に延びており、当該キーシリンダ回転軸８２と一体回転する。シリンダ錠８の前面に露出している鍵穴８４に鍵板９を差し込むと、キーシリンダ本体８１とキーシリンダ回転軸８２の係合が解除され、鍵板９によってキーシリンダ回転軸８２を開錠方向に回すことができる。キーシリンダ回転軸８２が回ると、それと一体となって回る施錠フック８３が、底板７１の一部を切り起こして形成した係合突起７１ａから外れて、施錠状態が解除される。キーシリンダ回転軸８２を元の位置まで戻すと再び施錠状態に戻る。
【００３０】
以上説明したように、本例の遊技台用台間機１では、その台間機本体３がホルダ２から引き抜くことができないようにロックしているロック機構４を解除するために操作されるロック解除用ワイヤ５の操作用取手５ｂが、遊技島の幕板背面側の位置まで引き出されている。また、当該ロック解除用ワイヤ５の操作用取手５ｂがシリンダ錠８によって閉じ状態にロックされているワイヤロックユニット６の内部に配置されており、そのままでは引くことができないワイヤロック状態となっている。
【００３１】
よって、従来とは異なり、幕板１０４を開けただけでは、ロック解除用ワイヤ５を引くことができないので、不正目的でロック機構４が解除されて台間機本体３が抜き取られてしまうことを防止できる。また、遊技店の店員などが操作する場合には、鍵板９を用いてシリンダ錠８を開錠すれば、収納ケース７を開けてロック解除用ワイヤ５の操作用取手５ｂを引くことができる。
【００３２】
このように、ロック解除用ワイヤ５の操作用取手５ｂを操作し易い幕板１０４の背面側まで引き出しておくことができ、しかも、不正あるいは悪意でロック解除用ワイヤ５が引かれてロック機構４が解除されてしまうことを防止できる。
【００３３】
(ワイヤロックユニットの別の例)
次に、図６(ａ)および(ｂ)は、ワイヤロックユニットの別の例を示す斜視図および縦断面図である。図７(ａ)および(ｂ)はワイヤロックユニットの動作を示す動作説明図である。
【００３４】
本例のワイヤロックユニット２０は、収納ケース２１と、この収納ケース２１に取り付けたシリンダ錠２２と、収納ケース２１の内部においてシリンダ錠２２と連動する旋回板２３とを有している。シリンダ錠２２は鍵板２４によって施錠および開錠できるようになっている。
【００３５】
収納ケース２１は、遊技島１００の桟木１０５に取り付けた底板２１１と、この底板２１１の上に固定したケース本体２１２とを備えており、これらにより、直方体形状の収納ケース２１が構成されている。収納ケース２１の背面板部分２１ａにおける一方の側に偏った部位に、ワイヤガイド筒２５が貫通した状態で水平に取り付けられている。ワイヤガイド筒２５の後端部にはシース５１の先端が差し込み固定されており、シース５１内を通ってロック機構４の側から引き出されているロック解除用ワイヤ５の先端部５ｃが、ワイヤガイド筒２５を通って収納ケース２１の内部に引き込まれている。
【００３６】
収納ケース２１の天板部分２１ｂの中心位置には上下方向に貫通する状態でシリンダ錠２２が垂直に固定されている。シリンダ錠２２は、円筒状のキーシリンダ本体２２１と、このキーシリンダ本体２２１を同軸状態で貫通しているキーシリンダ回転軸２２２とを備えている。本例のシリンダ錠２２は、キーシリンダ回転軸２２２と一体回転する施錠用フックの代わりに、旋回板２３がキーシリンダ回転軸２２２に固定されている。
【００３７】
旋回板２３は、キーシリンダ回転軸２２２における収納ケース２１の内部に位置している下端部に固定されており、当該キーシリンダ回転軸２２２と一体回転するように水平に取り付けられている。旋回板２３は、キーシリンダ回転軸２２２に取り付けられている旋回中心２３ａを挟み、一方の側の部位にはロック解除用ワイヤ５の先端部５ｃが連結固定されたワイヤ連結部２３ｂが形成されている。本例のワイヤ連結部２３ｂは、旋回板２３の一端を下方に直角に折り曲げた側板部分を、ロック解除用ワイヤ５が通過可能な幅で横方から切り込むことにより形成した溝である。ロック解除用ワイヤ５の先端部５ｃはワイヤ本体部分よりも大径の抜け止めとなっている。一方、旋回中心２３ａの反対側には、ばね掛け２３ｃが形成されている。このばね掛け２３ｃと、収納ケース２１の前板部分２１ｃとの間には、引っ張り状態でコイルバネ２６が架け渡されている。
【００３８】
ここで、シリンダ錠２２の鍵穴２２３に鍵板２４を差し込むと、そのキーシリンダ本体２２１とキーシリンダ回転軸２２２の係合が解除され、キーシリンダ回転軸２２２を図７(ａ)に示す施錠位置から図７(ｂ)に示す開錠位置に回すことができるようになっている。また、キーシリンダ回転軸２２２と一体回転する旋回板２３は、これに伴って位置２３Ａから位置２３Ｂに旋回し、そこに連結されているロック解除用ワイヤ５が引かれるようになっている。さらに、コイルバネ２６は、キーシリンダ回転軸２２２と一体回転する旋回板２３に対して、常に、施錠方向Ａに付勢力が作用するように取り付けられている。
【００３９】
このように構成した本例のワイヤロックユニット２０を用いる場合には、次のようにしてロック機構４を解除して台間機本体３をホルダ２から引き抜くことができる。まず、図６(ａ)、図７(ａ)に示すワイヤロック状態において、鍵板２４をシリンダ錠２２の鍵穴２２３に差し込み、開錠方向Ｂに回す。この操作によって、シリンダ錠２２の施錠が解除される(すなわち、ワイヤロック状態が解除される)と同時に、旋回板２３が開錠方向Ｂに旋回して、そこに連結されているロック解除用ワイヤ５が所定量だけ引き出される。この結果、ロック機構４が解除され、台間機本体３を引き抜くことが可能になる。
【００４０】
鍵板２４を施錠位置に戻すと、旋回板２３も位置２３Ａに戻り、ロック解除用ワイヤ５がロック機構４の側から作用している引張力によってロック機構４の側に引きこまれて、当該ロック機構４がロック状態に戻る。ここで、旋回板２３はコイルバネ２６によって付勢されているので、位置２３Ａに戻る動作が確実かつ速やかに行われる。
【００４１】
本例のワイヤロックユニット２０を用いた場合においても、前述したワイヤロックユニット６を用いる場合と同様の作用効果が得られる。
【００４２】
これに加えて、ロック解除用ワイヤ５を引くことができない状態を解除するための操作に連動して、ロック解除用ワイヤ５が引き出され、ロック機構４が解除される。すなわち、ロック解除用ワイヤ５を引くことができないワイヤロック状態の解除と同時に、ロック機構４の解除が行われる。したがって、これらの操作を順次に行う必要がある場合に比べて、操作性が改善されるという作用効果が得られる。
【図面の簡単な説明】
【００４３】
【図１】遊技店に設置された遊技島の部分正面図である。
【図２】本発明を適用した遊技台用台間機を示す側面図である。(ａ)は台間機本体がホルダに装着された状態であり、(ｂ)はホルダから台間機本体が引き抜かれた状態である。
【図３】ワイヤロックユニットが配置されている部分を示す部分斜視図である。
【図４】ワイヤロックユニットを示す斜視図であり、(ａ)はワイヤロック状態を示し、(ｂ)はワイヤロック状態が解除された状態を示す。
【図５】ワイヤロックユニットの概略縦断面図である。
【図６】ワイヤロックユニットの別の例を示す斜視図および縦断面図である。
【図７】図６のワイヤロックユニットの動作を示す説明図であり、(ａ)はワイヤロック状態を示し、(ｂ)はワイヤロック状態が解除されてロック解除用ワイヤが引かれた状態を示す。
【符号の説明】
【００４４】
１    遊技台用台間機
２    ホルダ
３    台間機本体
４    ロック機構
５    ロック解除用ワイヤ
６    ワイヤロックユニット
７、２１  収納ケース
８、２２    シリンダ錠
９、２４    鍵板
１１、２５  ワイヤガイド筒
２３  旋回板
２６  コイルバネ
８１、２２１  キーシリンダ本体
８２、２２２  キーシリンダ回転軸
８３  施錠フック
８４、２２３  鍵穴
【図１】
2007300956.tif 000003
【図２】
2007300956.tif 000004
【図３】
2007300956.tif 000005
【図４】
2007300956.tif 000006
【図５】
2007300956.tif 000007
【図６】
2007300956.tif 000008
【図７】
2007300956.tif 000009